(57)【特許請求の範囲】
【請求項１】
対象物の表面形状を測定する形状測定装置であって、
照明装置から出射される白色光を第１および第２の光束に分離し、前記第１の光束を前記対象物の表面に照射するとともに前記第２の光束を参照面に照射し、前記対象物の表面からの反射光と前記参照面からの反射光とを合成し、前記対象物の表面形状に対応する干渉縞を生成する干渉計と、
前記干渉縞を観察するための観察光学系と、
前記観察光学系を介して前記干渉縞の画像を撮影する撮像装置と、
前記対象物および前記干渉計を光軸方向に相対移動させる第１の位置決め装置と、
前記撮像装置および前記第１の位置決め装置を制御し、前記干渉計の焦点を前記対象物の表面に合わせる第１の自動焦点動作を実行する制御装置とを備え、
前記制御装置は、前記第１の自動焦点動作では、前記対象物および前記干渉計を光軸方向に相対移動させながら複数の相対位置でそれぞれの画像を撮影し、各画像毎に当該画像に含まれる複数の画素の輝度分布図について判別分析法による分離度を求め、複数の画像のうちの前記分離度が最大になる画像に対応する相対位置に前記対象物および前記干渉計を配置する、形状測定装置。
【請求項２】
前記判別分析法では、前記複数の画素の輝度分布図が輝度しきい値で２つのクラスに分離され、前記輝度しきい値は、クラス内分散が最小となり、かつクラス間分散が最大となるように設定され、前記クラス間分散と前記クラス内分散との比が前記分離度とされる、請求項１に記載の形状測定装置。
【請求項３】
前記干渉計は、
前記対象物の表面に対向して設けられた対物レンズと、
前記対物レンズと前記対象物の表面との間に設けられた半透鏡と、
前記半透鏡に対向して前記対物レンズの中央部に設けられた前記参照面を有する反射鏡とを含むミロー型干渉計であり、
前記照明装置から出射された白色光は、前記対物レンズによって屈折されて前記半透鏡に入射し、前記半透鏡を透過した前記第１の光束と前記半透鏡で反射した前記第２の光束に分離され、
前記第１の光束が前記対象物の表面に照射されるとともに前記第２の光束が前記参照面に照射され、前記対象物の表面からの反射光と前記参照面からの反射光とが前記半透鏡で合成されて干渉光となり、前記干渉光によって前記干渉縞が生成され、
前記ミロー型干渉計の光軸および焦点は、それぞれ前記対物レンズの光軸および焦点である、請求項１または請求項２に記載の形状測定装置。
【請求項４】
さらに、前記対象物に対して前記干渉計を光軸方向に相対移動させる第２の位置決め装置を備え、
前記第２の位置決め装置のストロークは前記第１の位置決め装置のストロークよりも大きく、
前記制御装置は、
前記第１の自動焦点動作を実行する前に、前記撮像装置および前記第２の位置決め装置を制御して前記干渉計の焦点の位置を粗調整する第２の自動焦点動作を実行し、
前記第２の自動焦点動作では、前記対象物および前記干渉計を光軸方向に相対移動させながら複数の相対位置でそれぞれの画像を撮影し、各画像毎に当該画像に含まれる複数の画素の輝度の微分値を求め、複数の画像のうちの前記微分値が最大になる画像に対応する相対位置に前記対象物および前記干渉計を配置する、請求項１から請求項３のいずれか１項に記載の形状測定装置。
【請求項５】
前記第１の位置決め装置は、前記観察光学系に固定されて前記干渉計を移動させ、
少なくとも前記第１の位置決め装置、前記観察光学系、および前記干渉計は１つの光学ユニットを構成しており、
前記第２の位置決め装置は前記光学ユニットを移動させる、請求項４に記載の形状測定装置。
【請求項６】
対象物の表面に液状材料を塗布する塗布装置であって、
塗布針を有し前記塗布針の先端部に付着した液状材料を前記対象物の表面に塗布する塗布ユニットと、
照明装置から出射される白色光を第１および第２の光束に分離し、前記第１の光束を前記対象物の表面に照射するとともに前記第２の光束を参照面に照射し、前記対象物の表面からの反射光と前記参照面からの反射光とを合成し、前記対象物の表面形状に対応する干渉縞を生成する干渉計と、前記干渉縞を観察するための観察光学系と、前記観察光学系を介して前記干渉縞の画像を撮影する撮像装置と、前記対象物および前記干渉計を光軸方向に相対移動させる第１の位置決め装置とを含んで構成されるヘッド部と、
前記ヘッド部と前記対象物とを前記光軸方向と直交する方向に相対移動させて前記ヘッド部を前記対象物の表面の上方の所望の位置に位置決めする第２の位置決め装置と、
前記撮像装置および前記第１および第２の位置決め装置を制御し、前記干渉計の焦点を前記対象物の表面に合わせる第１の自動焦点動作を実行する制御装置とを備え、
前記制御装置は、前記第１の自動焦点動作では、前記対象物および前記干渉計を光軸方向に相対移動させながら複数の相対位置でそれぞれ複数の画像を撮影し、各画像毎に当該画像に含まれる複数の画素の輝度分布図について判別分析法による分離度を求め、前記複数の画像のうちの前記分離度が最大になる画像に対応する相対位置に前記対象物および前記干渉計を配置する、塗布装置。
【請求項７】
前記制御装置は、前記第１の自動焦点動作において、前記対象物上に設定した基準面に焦点を合わせた後、前記塗布針で前記対象物の表面に前記液状材料を塗布する、請求項６に記載の塗布装置。
【請求項８】
前記制御装置は、前記液状材料を塗布した後、前記基準面と塗布した前記液状材料の頂点との段差を求め、求めた前記段差が予め設定された下限値を超えるまで塗布動作を繰り返す、請求項７に記載の塗布装置。
【請求項９】
前記第２の位置決め装置のストロークは、前記第１の位置決め装置のストロークよりも大きく、
前記制御装置は、
前記第１の自動焦点動作を実行する前に、前記撮像装置および前記第２の位置決め装置を制御して前記干渉計の焦点の位置を粗調整する第２の自動焦点動作を実行し、
前記第２の自動焦点動作では、前記対象物および前記干渉計を光軸方向に相対移動させながら複数の相対位置でそれぞれの画像を撮影し、各画像毎に当該画像に含まれる複数の画素の輝度の微分値を求め、複数の画像のうちの前記微分値が最大になる画像に対応する相対位置に前記対象物および前記干渉計を配置する、請求項６から請求項８のいずれか１項に記載の塗布装置。
【発明の詳細な説明】
【技術分野】
【０００１】
この発明は形状測定装置およびそれを搭載した塗布装置に関し、特に、干渉計を用いて対象物の表面形状を測定する形状測定装置に関する。より特定的には、この発明は、金属、樹脂、それらの加工品などの表面形状を測定したり、半導体装置、電子回路、フラットパネルディスプレイなどの基板の表面形状を測定する形状測定装置に関する。
【背景技術】
【０００２】
特許文献１には、ＺテーブルによってＣＣＤカメラを対象物に対して移動させながら複数の位置でそれぞれの画像を撮影し、各画像に含まれる複数の画素の輝度の微分値（以下、画像の微分値と略記する場合がある）を算出し、微分値が最大になる画像に対応する位置にＣＣＤカメラを配置することにより、ＣＣＤカメラの焦点を対象物に合わせるオートフォーカス装置が開示されている。
【先行技術文献】
【特許文献】
【０００３】
【特許文献１】特開２０００−５６２１０号公報
【発明の概要】
【発明が解決しようとする課題】
【０００４】
画像の微分値は、たとえば、対象物と背景との境界のように明暗パターンが急に変化する箇所で大きな値になる。焦点が合った状態で撮影された画像では、焦点が合っていない状態で撮影された画像に比べ、対象物と背景との境界が明瞭になり、画像の微分値が大きくなる。したがって、画像の微分値が最大になる位置にＣＣＤカメラを配置することにより、ＣＣＤカメラの焦点を対象物に合わせることができる。
【０００５】
ところで、干渉計を用いて対象物の表面形状を測定する形状測定装置では、通常、対象物の基準面に干渉計の焦点を合わせてから測定を開始する。対象物の基準面としては、対象物の上端面のような平面部、あるいは球面の頂点部が選ばれることが多い。このような基準面では、形状および明暗パターンの変化が緩やかであり、干渉縞の明暗の変化も緩やかとなり、干渉縞の画像の微分値は小さい。したがって、特許文献１のように、干渉縞の画像の微分値のみを使用して干渉計の焦点を基準面に合わせることは難しい。また、従来の技術（特許文献１）では、焦点を合わせるためには目標となる模様が必要であり、目標がないと焦点合わせの作業に不具合を生じることがあった。
【０００６】
それゆえに、この発明の主たる目的は、干渉計の焦点を対象物の表面に容易に合わせることが可能な形状測定装置を提供することである。
【課題を解決するための手段】
【０００７】
この発明に係る形状測定装置は、対象物の表面形状を測定する形状測定装置であって、照明装置から出射される白色光を第１および第２の光束に分離し、第１の光束を対象物の表面に照射するとともに第２の光束を参照面に照射し、対象物の表面からの反射光と参照面からの反射光とを合成し、対象物の表面形状に対応する干渉縞を生成する干渉計と、干渉縞を観察するための観察光学系と、観察光学系を介して干渉縞の画像を撮影する撮像装置と、対象物および干渉計を光軸方向に相対移動させる第１の位置決め装置と、撮像装置および第１の位置決め装置を制御し、干渉計の焦点を対象物の表面に合わせる第１の自動焦点動作を実行する制御装置とを備えたものである。制御装置は、第１の自動焦点動作では、対象物および干渉計を光軸方向に相対移動させながら複数の相対位置でそれぞれの画像を撮影し、各画像毎に当該画像に含まれる複数の画素の輝度分布図について判別分析法による分離度を求め、複数の画像のうちの分離度が最大になる画像に対応する相対位置に対象物および干渉計を配置する。
【発明の効果】
【０００８】
この発明に係る形状測定装置では、各画像毎に当該画像に含まれる複数の画素の輝度分布図について判別分析法による分離度を求め、複数の画像のうちの分離度が最大になる画像に対応する相対位置に対象物および干渉計を配置することにより、干渉計の焦点を対象物の表面に合わせる。したがって、干渉計の焦点を対象物の表面に容易に合わせることができる。また、干渉計の焦点を対象物の表面に容易かつ確実に合わせることができるので、焦点合わせ後に行なう作業の不具合が生じることがなく、作業効率の向上を図ることができる。さらに、本発明の処理を含めた全作業時間を短縮することができ、製品の製造コストの低減化を図ることができる。
【図面の簡単な説明】
【０００９】
【図１】この発明の実施の形態１による形状測定装置の構成を示すブロック図である。
【図２】図１に示した形状測定装置の構成をより詳細に示す図である。
【図３】図２に示したミロー型干渉計の構成および動作を示す図である。
【図４】図３に示したミロー型干渉計によって生成される干渉縞の画像の輝度ヒストグラムである。
【図５】図１に示したピエゾステージの位置と画像の分離度との関係を示す図である。
【図６】図１〜図５に示した形状測定装置の自動焦点動作を例示する図である。
【図７】この発明の実施の形態２による形状測定装置の構成を示すブロック図である。
【図８】図７に示した形状測定装置の自動焦点動作を例示する図である。
【図９】本実施の形態に従う形状測定装置が搭載された塗布装置の全体構成を示す斜視図である。
【図１０】観察光学系およびインク塗布機構の要部を示す斜視図である。
【図１１】図１０のＡ方向から要部を見た図である。
【図１２】インク塗布動作を説明するための第１図である。
【図１３】インク塗布動作を説明するための第２図である。
【図１４】インク塗布動作を説明するための第３図である。
【図１５】インク塗布動作を説明するための第４図である。
【図１６】インク塗布動作を説明するための第５図である。
【図１７】膜厚検査方法を説明するための図である。
【図１８】膜厚検査処理を説明するためのフローチャートである。
【発明を実施するための形態】
【００１０】
[実施の形態１]
図１は、この発明の実施の形態１による形状測定装置の構成を示すブロック図である。図１において、この形状測定装置は、照明装置１、観察光学系２、ミロー型干渉計３、撮像装置４、およびピエゾステージ（第１の位置決め装置）５を含んで構成されるヘッド部１０と、制御装置６とを備える。照明装置１は、白色光を出力する。観察光学系２は、照明装置１から出力された白色光を反射してミロー型干渉計３に与えるとともに、ミロー型干渉計３で生成される干渉縞を観察するために用いられる。
【００１１】
ミロー型干渉計３は、照明装置１から観察光学系２を介して入射された白色光を第１および第２の光束に分離し、第１の光束を対象物７の表面に照射するとともに第２の光束を参照面に照射し、対象物７の表面からの反射光と参照面からの反射光とを干渉させて干渉縞を生成する。撮像装置４は、制御装置６によって制御され、観察光学系２を介して、ミロー型干渉計３で生成された干渉縞の画像を撮影する。撮像装置４によって撮影された各画像は、制御装置６に格納される。ピエゾステージ５は、制御装置６によって制御され、対象物７に対してミロー型干渉計３を光軸方向（垂直方向）に移動させる。
【００１２】
制御装置６は、形状測定装置全体を制御する。特に、制御装置６は、撮像装置４およびピエゾステージ５を制御し、対象物７に対してミロー型干渉計３を光軸方向に移動させながら、複数の位置でそれぞれの画像を撮影し、複数の画像に基づいてミロー型干渉計３の焦点を対象物７の表面に合わせる自動焦点動作（第１の自動焦点動作）を実行する。自動焦点動作については、後で詳細に説明する。
【００１３】
図２は図１に示した形状測定装置の構成をより詳細に示す図であり、図３はミロー型干渉計３の構成および動作を示す図である。図２および図３において、照明装置１は、観察光学系２の側面に配置され、白色光源１１およびフィルタ１２を含む。照明装置１の光軸Ａ１（すなわち白色光源１１の光軸）は、水平方向に配置され、観察光学系２の光軸Ａ２と直交している。白色光源１１は、白色光を出射する。フィルタ１２は、白色光源１１と観察光学系２の間に配置され、白色光源１１から出射された白色光のうち所定の中心波長λ０および波長範囲Δλを有する白色光を通過させる。
【００１４】
観察光学系２は、集光レンズ２１、ハーフミラー２２、および結像レンズ２３を含む。観察光学系２の光軸Ａ２（すなわち結像レンズ２３の光軸）は、垂直方向に配置される。集光レンズ２１は、フィルタ１２とハーフミラー２２の間に配置され、白色光源１１から出射されてフィルタ１２を通過した白色光を平行光に変換する。
【００１５】
ハーフミラー２２は、２本の光軸Ａ１，Ａ２の交差部に配置され、２本の光軸Ａ１，Ａ２の各々に対して４５度の角度で配置される。ハーフミラー２２の下方にミロー型干渉計３が配置され、ハーフミラー２２の上方に結像レンズ２３および撮像装置４が配置される。ハーフミラー２２は、照明装置１から集光レンズ２１を介して入射された白色光を下方に反射させるとともに、ミロー型干渉計３からの光（すなわち干渉縞の像）を上方に通過させる。結像レンズ２３は、ミロー型干渉計３からの光を撮像装置４の光センサに結像させる。
【００１６】
ミロー型干渉計３は、ピエゾステージ５を介して観察光学系２の下端に設けられ、対物レンズ３１、反射鏡３２、および半透鏡３３を含む。ミロー型干渉計３の光軸Ａ３（すなわち対物レンズ３１の光軸）は、観察光学系２の光軸Ａ２と一致している。ピエゾステージ５は、ミロー型干渉計３を光軸Ａ３の方向に移動させる。図２および図３では、対象物７は基板であり、光軸Ａ３は基板の表面に垂直に配置され、ミロー型干渉計３の焦点Ｐ１（すなわち対物レンズ３１の焦点）は基板の表面に配置されている状態が示されている。
【００１７】
反射鏡３２は、その反射面（参照面）を下向きにして、対物レンズ３１の下面の中央部に固定されている。半透鏡３３は、反射鏡３２の反射面と焦点Ｐ１との中間位置に配置されている。反射鏡３２および半透鏡３３の各々は、光軸Ａ３と直交している。
【００１８】
照明装置１から出射され、観察光学系２を介してミロー型干渉計３に入射された白色光Ｌ０は、図３に示すように、対物レンズ３１によって屈折されて焦点Ｐ１に向かう。白色光Ｌ０の一部は半透鏡３３の一方端部を通過して第１の光束Ｌ１となり、白色光Ｌ０の残りの部分は半透鏡３３の一方端部で反射されて第２の光束Ｌ２となる。すなわち、白色光Ｌ０は、半透鏡３３によって第１および第２の光束Ｌ１，Ｌ２に分離される。
【００１９】
第１の光束Ｌ１は、対象物７の表面で反射されて第１の反射光Ｌ１ｒとなり、半透鏡３３の他方端部に向かう。第２の光束Ｌ２は、反射鏡３２の反射面で反射されて第２の反射光Ｌ２ｒとなり、半透鏡３３の他方端部に向かう。第１および第２の反射光Ｌ１ｒ，Ｌ２ｒは、半透鏡３３の他方端部で合流し、互いに干渉して干渉光Ｌ３となる。
【００２０】
２つの反射光Ｌ１ｒ，Ｌ２ｒの位相差が０度である場合、干渉光Ｌ３の振幅は最大となり、干渉光Ｌ３の明るさは最大になる。２つの反射光Ｌ１ｒ，Ｌ２ｒの位相差が１８０度である場合、干渉光Ｌ３の振幅は最小となり、干渉光Ｌ３の明るさは最小になる。第１の光束Ｌ１が焦点Ｐ１で反射したときに反射光Ｌ１ｒ，Ｌ２ｒの光路長差が０になるようにミロー型干渉計３が設計されている。
【００２１】
したがって、ミロー型干渉計３の焦点Ｐ１が対象物７の表面に一致したとき（すなわち焦点が合ったとき）、反射光Ｌ１ｒ，Ｌ２ｒの位相差および光路長差がともに０になって干渉光Ｌ３は最も明るくなり、焦点Ｐ１と対象物７の表面との距離が大きくなるに従って干渉光Ｌ３は暗くなる。半透鏡３３には、対象物７の表面形状に対応する干渉縞が現れる。この干渉縞に基づいて対象物７の表面形状を測定することができる。
【００２２】
鮮明な干渉縞を得るためには、ミロー型干渉計３の焦点Ｐ１を対象物７の表面に一致させる必要がある。以下、ミロー型干渉計３の焦点Ｐ１を対象物７の表面に一致させる自動焦点動作について説明する。
【００２３】
制御装置６は、自動焦点動作時には、撮像装置４およびピエゾステージ５を制御し、ミロー型干渉計３を光軸Ａ３の方向に移動させながら、複数の位置で複数の画像を撮影し、撮影した複数の画像の各々の輝度ヒストグラムを作成し、各輝度ヒストグラムについて判別分析法による分離値Ｒを求め、分離値Ｒが最大となる位置にミロー型干渉計３を配置する。
【００２４】
図４は、ある干渉縞の画像の輝度ヒストグラムである。画像は、複数行複数列に配置された複数の画素を含む。各画素は、複数段階（たとえば２５６段階）の輝度のうちのいずれかの段階の輝度を表示する。図４の横軸は複数段階の輝度を示し、その縦軸は各輝度を表示する画素の数を示している。ミロー型干渉計３の焦点Ｐ１を対象物７の表面に近付けていくと、図４に示すように、輝度ヒストグラムは双峰性を示すようになる。
【００２５】
判別分析法では、画像の輝度ヒストグラムが輝度しきい値Ｌｔｈで２つのクラスＣＬ１，ＣＬ２に分離される。クラスＣＬ１は、輝度が輝度しきい値Ｌｔｈよりも小さな画素の集団である。クラスＣＬ２は、輝度が輝度しきい値Ｌｔｈよりも大きな画素の集団である。輝度しきい値Ｌｔｈは、クラス内分散σＷ２が最小となり、かつクラス間分散σＢ２が最大となるように設定され、クラス間分散σＢ２とクラス内分散σＷ２との比σＢ２／σＷ２が分離度Ｒとされる。
【００２６】
クラス内分散σＷ２はクラス内でのヒストグラムの広がり具合であり、クラス間分散σＢ２は２つのクラスＣＬ１，ＣＬ２の間の広がり具合である。クラス内分散σＷ２およびクラス間分散σＢ２はそれぞれ数式（１）（２）で表される。
【００２７】
σＷ２＝（ｎ１×σ１２＋ｎ２×σ２２）／（ｎ１＋ｎ２）  …（１）
σＢ２＝[ｎ１（μ１−μ０）２＋ｎ２（μ２−μ０）２]／（ｎ１＋ｎ２）  …（２）
ただし、σ１２，σ２２はそれぞれクラスＣＬ１，ＣＬ２内の輝度の分散であり、μ０は全画素の輝度の平均値であり、μ１，μ２はそれぞれクラスＣＬ１，ＣＬ２内の輝度の平均値であり、ｎ１，ｎ２はそれぞれクラスＣＬ１，ＣＬ２内の画素数である。
【００２８】
図５は、ピエゾステージ５の位置ｈと分離度Ｒとの関係を例示する図である。図５では、ピエゾステージ５の位置ｈ（ピエゾステージ５の可動部の高さ方向の座標）を０μｍから２０μｍまで変化させながら複数の画像を撮影し、各画像の輝度ヒストグラムを生成し、各輝度ヒストグラムの分離度Ｒを求めた場合が示されている。図５において、分離度Ｒは、ｈ≒７．５μｍになった時点で０から上昇し、ｈ≒９．２μｍになった時点で最大値（約０．１０５）となり、その後に下降し、ｈ≒１０．７μｍになった時点で０となった。分離度Ｒが最大値（約０．１０５）となったときの位置（ｈ≒９．２μｍ）にピエゾステージ５を配置することにより、ミロー型干渉計３の焦点Ｐ１を対象物７の表面に一致させることができた。
【００２９】
次に、この形状測定装置における自動焦点動作について具体的に説明する。制御装置６は、自動焦点動作時には、撮像装置４およびピエゾステージ５を制御し、ミロー型干渉計３を光軸Ａ３の方向に一定速度Ｖ１で移動させながら複数の位置ｈでそれぞれの画像を撮影する。撮像装置４の画像の取込周期をＴ１（秒）とし、照明装置１から出力される白色光の中心波長をλ０（μｍ）とすると、取込周期Ｔ１（秒）の間にミロー型干渉計３がλ０／８（μｍ）だけ移動するように、ミロー型干渉計３の移動速度Ｖ１が設定される。ミロー型干渉計３が最初に移動する方向は、ミロー型干渉計３が対象物７に近づく方向と遠ざかる方向とのうちのいずれか一方の方向とする。
【００３０】
ミロー型干渉計３がピエゾステージ５によって一定速度Ｖ１で移動されている間、制御装置６は撮像装置４から所定周期Ｔ１（秒）で画像を取り込む。制御装置６は、画像の取込が完了する度に画像の分離度Ｒを算出し、分離度Ｒが最大となる画像が撮影されたときのピエゾステージ５の位置ｈｆを求める。最終的に、制御装置６は、分離度Ｒが最大となる画像が撮影されたときの位置ｈｆにピエゾステージ５の位置ｈを設定して自動焦点動作を終了する。
【００３１】
詳しく説明すると、制御装置６は、ピエゾステージ５の駆動速度が一定速度Ｖ１に到達すると、撮像装置４から画像をＴ１（秒）間隔で取り込みながら画像の分離度Ｒの計算を開始し、画像を取り込んだときのピエゾステージ５の位置ｈと関連付けて分離度Ｒをメモリ部(図示せず)に記憶する。
【００３２】
複数組（たとえば３組）の分離度Ｒおよび位置ｈを記憶した後、図６（ａ）（ｂ）に示すように、横軸が位置ｈを示し、縦軸が分離度Ｒを示す図を書き、複数の点を結ぶ近似直線を書く。図６（ａ）では、ピエゾステージ５は位置ｈ１から位置ｈ２まで移動可能であり、ｈ２からｈ１に向かう方向にピエゾステージ５が移動されている状態が示されている。
【００３３】
たとえば図６（ａ）に示すように、ピエゾステージ５の位置ｈの移動方向に対して分離度Ｒが減少している場合は、ピエゾステージ５を一旦停止させた後、図６（ｂ）に示すように、ピエゾステージ５を反対方向に移動させ、位置ｈがｈ２になるまでピエゾステージ５を移動させながら所定周期Ｔ１（秒）で画像を取り込む。最初から、ピエゾステージ５の位置ｈの移動方向に対して分離度Ｒが増加している場合は、位置ｈがｈ１になるまでピエゾステージ５を移動させながら所定周期Ｔ１（秒）で画像を取り込む。
【００３４】
画像を取り込みながら画像の分離度Ｒを求め、分離度Ｒが最大値Ｒｍａｘとなる画像に対応するピエゾステージ５の位置ｈを求める。すなわち、複数組（たとえば８組）の分離度Ｒおよび位置ｈを記憶した後、複数個の分離値Ｒのうちの最大値Ｒｍａｘを求める。次に、最大値Ｒｍａｘと最初の組の分離値Ｒｓとの差の絶対値ΔＲｓ＝｜Ｒｍａｘ−Ｒｓ｜と、最大値Ｒｍａｘと最後の組の分離値Ｒｅとの差の絶対値ΔＲｅ＝｜Ｒｍａｘ−Ｒｅ｜とを求め、ΔＲｓとΔＲｅがともに所定のしきい値Ｒｔｈよりも大きいとき、分離度Ｒが最大値Ｒｍａｘとなる画像に対応するピエゾステージ５の位置ｈｆを求め、その位置ｈｆにピエゾステージ５を移動させる。このとき、ミロー型干渉計３の焦点Ｐ１の位置が対象物７の表面に一致している。
【００３５】
ΔＲｓ，ΔＲｅのうちの少なくとも一方がしきい値Ｒｔｈよりも小さい場合は、ピエゾステージ位置がｈ１またはｈ２に達するまで探索を続ける。ｈ１またはｈ２に達してもΔＲｓとΔＲｅがともに所定のしきい値Ｒｔｈよりも大きくなるＲｍａｘを検出できなかったときは、探索開始位置にピエゾステージ５を戻し、反対方向にピエゾステージ位置がｈ１またはｈ２に達するまで探索を続ける。ｈ１〜ｈ２の間で、ΔＲｓとΔＲｅがともに所定のしきい値Ｒｔｈよりも大きくなるＲｍａｘを検出できなかったときは自動焦点動作を失敗として終了する。
【００３６】
具体的に説明すると、図６（ａ）では、Ｎ＝１の位置から画像の取り込みを開始し、Ｎ＝３の位置で画像を取り込んだ後、３点を結ぶ近似直線を求め、移動方向に対して近似直線の傾きが負であると判定し、図６（ｂ）に示すように、反対方向に探索を開始した。反対方向の探索では、Ｍ＝１の位置から画像の取り込みを開始し、Ｍ＝８の位置から画像を取り込んだ後、ピーク判定を開始し、Ｍ＝５の位置の分離度Ｒが最大値Ｒｍａｘであると判定し、ΔＲｓ，ΔＲｅがともにしきい値Ｒｔｈよりも大きいと判定し、Ｍ＝５に対応する位置ｈｆにピエゾステージ５を配置し、ミロー型干渉計３の焦点Ｐ１を対象物７の表面に合わせた。
【００３７】
以上のように、この実施の形態１では、ピエゾステージ５および撮像装置４を制御し、ミロー型干渉計３を光軸方向に移動させながら複数の位置ｈでそれぞれの画像を撮影し、各画像の画素の輝度ヒストグラムについて判別分析法による分離度Ｒを求め、複数の画像のうちの分離度Ｒが最大値Ｒｍａｘになる画像に対応する位置ｈｆにピエゾステージ５の位置ｈを配置することにより、ミロー型干渉計３の焦点Ｐ１を対象物７の表面に配置する。したがって、ミロー型干渉計３の焦点Ｐ１を対象物７の表面に容易に合わせることができ、作業効率の向上を図ることができる。
【００３８】
なお、この実施の形態１では、対象物７を固定し、ピエゾステージ５によってミロー型干渉計３を移動させたが、これに限るものではなく、対象物７とミロー型干渉計３を相対的に移動させるのであれば、どのような方法で移動させても構わない。たとえば、ミロー型干渉計３を固定して対象物７を移動させてもよいし、ミロー型干渉計３と対象物７の両方を逆方向に移動させても構わない。
【００３９】
また、この実施の形態１では、ミロー型干渉計３を用いた場合について説明したが、これに限るものではなく、他の型式の干渉計を用いてもよい。たとえば、マイケルソン型干渉計あるいはリニーク型干渉計を用いてもよい。
【００４０】
[実施の形態２]
図７は、この発明の実施の形態２による形状測定装置の構成を示す図であって、図１と対比される図である。図７を参照して、この形状測定装置が図１の形状測定装置と異なる点は、Ｚステージ（第２の位置決め装置）４０が追加されている点である。照明装置１、観察光学系２、ミロー型干渉計３、撮像装置４、およびピエゾステージ５は１つの光学ユニットを構成し、この光学ユニットはＺステージ４０に搭載されている。Ｚステージ４０は、制御装置６によって制御され、光学ユニットを高さ方向に移動させる。
【００４１】
Ｚステージ４０のストロークは、ピエゾステージ５のストロークよりも大きい。実施の形態１では、ピエゾステージ５のみによってミロー型干渉計３を移動させながら複数の画像を撮影し、撮影した複数の画像の分離度Ｒに基づいて焦点を合わせた（第１の自動焦点動作）が、この実施の形態２では、第１の自動焦点動作を実行する前に、Ｚステージ４０によってミロー型干渉計３を移動させながら複数の画像を撮影し、撮影した複数の画像の微分値Ｄに基づいて焦点の位置を粗調整する（第２の自動焦点動作）。ピエゾステージ５のストローク内で焦点を合わすことができない場合に有効である。
【００４２】
次に、この形状測定装置における第２の自動焦点動作について具体的に説明する。制御装置６は、第２の自動焦点動作時には、撮像装置４およびＺステージ４０を制御し、ミロー型干渉計３を光軸Ａ３の方向に一定速度Ｖ２で移動させながら複数の位置Ｈでそれぞれの画像を撮影する。Ｚステージ４０の移動速度Ｖ２は、ピエゾステージ５の移動速度Ｖ１よりも大きい。ミロー型干渉計３が最初に移動する方向は、ミロー型干渉計３が対象物７に近づく方向と遠ざかる方向とのうちのいずれか一方の方向とする。
【００４３】
ミロー型干渉計３がＺステージ４０によって一定速度Ｖ２で移動されている間、制御装置６は撮像装置４から所定周期Ｔ２（秒）で画像を取り込む。制御装置６は、画像の取込が完了する度に画像の微分値Ｄを算出し、微分値Ｄが最大となる画像が撮影されたときのＺステージ４０の位置Ｈｆ（Ｚステージ４０の可動部の高さ方向の座標）を求める。最終的に、制御装置６は、微分値Ｄが最大となる画像が撮影されたときの位置ＨｆにＺステージ４０の位置Ｈを設定して第２の自動焦点動作を終了する。画像の微分値Ｄは、数式（３）（４）（５）で表される。
【００４４】
【数１】
0006665028.tif 000002
【００４５】
ただし、Ｆは取り込んだ画像を示し、（ｘ，ｙ）は画像Ｆの画素の位置を示し、ｄｘは水平方向の微分値を示し、ｄｙは垂直方向の微分値を示す。
【００４６】
詳しく説明すると、制御装置６は、Ｚステージ４０の駆動速度が一定速度Ｖ２に到達すると、撮像装置４から画像をＴ２（秒）間隔で取り込みながら画像の微分値Ｄの計算を開始し、画像を取り込んだときのＺステージ４０の位置Ｈと関連付けて微分値Ｄをメモリ部(図示せず)に記憶する。
【００４７】
複数組（たとえば３組）の微分値Ｄおよび位置Ｈを記憶した後、図８（ａ）（ｂ）に示すように、横軸が位置Ｈを示し、縦軸が微分値Ｄを示す図を書き、複数の点を結ぶ近似直線を書く。図８（ａ）では、Ｚステージ４０は位置Ｈ１から位置Ｈ２まで移動可能であり、Ｈ２からＨ１に向かう方向にＺステージ４０が移動されている状態が示されている。
【００４８】
たとえば図８（ａ）に示すように、Ｚステージ４０の位置Ｈの移動方向に対して微分値Ｄが減少している場合は、Ｚステージ４０を一旦停止させた後、図８（ｂ）に示すように、Ｚステージ４０を反対方向に移動させ、位置ＨがＨ２になるまでＺステージ４０を移動させながら所定周期Ｔ２（秒）で画像を取り込む。最初から、Ｚステージ４０の位置Ｈの移動方向に対して微分値Ｄが増加している場合は、位置ＨがＨ１になるまでＺステージ４０を移動させながら所定周期Ｔ２（秒）で画像を取り込む。
【００４９】
画像を取り込みながら画像の微分値Ｄを求め、微分値Ｄが最大値Ｄｍａｘとなる画像に対応するＺステージ４０の位置Ｈｆを求める。すなわち、複数組（たとえば８組）の微分値Ｄおよび位置Ｈを記憶した後、複数個の微分値Ｄのうちの最大値Ｄｍａｘを求める。次に、最大値Ｄｍａｘと最初の組の微分値Ｄｓとの差の絶対値ΔＤｓ＝｜Ｄｍａｘ−Ｄｓ｜と、最大値Ｄｍａｘと最後の組の微分値Ｄｅとの差の絶対値ΔＤｅ＝｜Ｄｍａｘ−Ｄｅ｜とを求め、ΔＤｓとΔＤｅがともに所定のしきい値Ｄｔｈよりも大きいとき、微分値Ｄが最大値Ｄｍａｘとなる画像に対応するＺステージ４０の位置Ｈｆを求め、その位置ＨｆにＺステージ４０を移動させる。このとき、ミロー型干渉計３の焦点Ｐ１の位置が対象物７の表面に大体一致している。
【００５０】
ΔＤｓ，ΔＤｅのうちの少なくとも一方がしきい値Ｄｔｈよりも小さい場合は、ピエゾステージ位置がＨ１またはＨ２に達するまで探索を続ける。Ｈ１またはＨ２に達してもΔＤｓとΔＤｅがともに所定のしきい値Ｄｔｈよりも大きくなるＤｍａｘを検出できなかったときは、探索開始位置にピエゾステージ５を戻し、反対方向にピエゾステージ位置がＨ１またはＨ２に達するまで探索を続ける。Ｈ１〜Ｈ２の間で、ΔＤｓとΔＤｅがともに所定のしきい値Ｄｔｈよりも大きくなるＤｍａｘを検出できなかったときは自動焦点動作を失敗として終了する。
【００５１】
この後、微分値Ｄが最大値Ｄｍａｘとなる画像に対応する位置ＨｆにＺステージ４０を固定し、実施の形態１で説明した方法（第１の自動焦点動作）でミロー型干渉計３の焦点Ｐ１を対象物７の表面に精密に一致させる。
【００５２】
具体的に説明すると、図８（ａ）では、Ｎ＝１の位置から画像の取り込みを開始し、Ｎ＝３の位置で画像を取り込んだ後、３点を結ぶ近似直線を求め、移動方向に対して近似直線の傾きが負であると判定し、図８（ｂ）に示すように、反対方向に探索を開始した。反対方向の探索では、Ｍ＝１の位置から画像の取り込みを開始し、Ｍ＝８の位置から画像を取り込んだ後、ピーク判定を開始し、Ｍ＝５の位置の微分値Ｄが最大値Ｄｍａｘであると判定し、ΔＤｓ，ΔＤｅがともにしきい値Ｄｔｈよりも大きいと判定し、Ｍ＝５に対応する位置ＨｆにＺステージ４０を配置し、ミロー型干渉計３の焦点Ｐ１を対象物７の表面に大体一致させた。
【００５３】
以上のように、この実施の形態２では、実施の形態１の方法（第１の自動焦点動作）によって焦点を合わせる前に、Ｚステージ４０および撮像装置４を制御し、ミロー型干渉計３を光軸方向に移動させながら複数の位置Ｈでそれぞれの画像を撮影し、各画像の微分値Ｄを求め、複数の画像のうちの微分値Ｄが最大値になる画像に対応する位置ＨｆにＺステージ４０を配置することにより、ミロー型干渉計３の焦点Ｐ１を対象物７の表面に大体一致させる。したがって、ピエゾステージ５のみによっては焦点Ｐ１を合わすことができない場合でも、ミロー型干渉計３の焦点Ｐ１を対象物７の表面に容易に合わせることができ、作業効率の向上を図ることができる。
【００５４】
なお、この実施の形態２では、対象物７を固定し、Ｚステージ４０によってミロー型干渉計３を移動させたが、これに限るものではなく、対象物７とミロー型干渉計３を相対的に移動させるのであれば、どのような方法で移動させても構わない。たとえば、ミロー型干渉計３を固定して対象物７を移動させてもよいし、ミロー型干渉計３と対象物７の両方を逆方向に移動させても構わない。
【００５５】
また、この実施の形態２では、ミロー型干渉計３を用いた場合について説明したが、これに限るものではなく、他の型式の干渉計を用いてもよい。たとえば、マイケルソン型干渉計あるいはリニーク型干渉計を用いてもよい。
【００５６】
［塗布装置の構成］
最後に、本実施の形態に従う形状測定装置が適用される装置の一例として、塗布装置の概要について説明する。
【００５７】
図９は、本実施の形態に従う形状測定装置を備えた塗布装置１００の全体構成を示す斜視図である。塗布装置１００は、基板９の主面上に透明のインク（液状材料）を複数層に亘って塗布可能に構成されている。図９を参照して、塗布装置１００は、観察光学系２、ＣＣＤカメラ４、カット用レーザ装置８、インク塗布機構５０、およびインク硬化用光源２０から構成される塗布ヘッド部と、この塗布ヘッド部を塗布対象の基板９に対して垂直方向（Ｚ軸方向）に移動させるＺステージ４０と、Ｚステージ４０を搭載してＸ軸方向に移動させるＸステージ４２と、基板９を搭載してＹ軸方向に移動させるＹステージ４４と、装置全体の動作を制御する制御用コンピュータ７０と、ＣＣＤカメラ４によって撮影された画像などを表示するモニタ７４と、制御用コンピュータ７０に作業者からの指令を入力するための操作パネル７２とを備える。
【００５８】
観察光学系２は、照明用の光源（図１の照明装置１）を含み、基板９の表面状態や、インク塗布機構５０によって塗布されたインクの状態を観察する。観察光学系２によって観察される画像は、ＣＣＤカメラ４により電気信号に変換され、モニタ７４に表示される。カット用レーザ装置８は、観察光学系２を介して基板９上の不要部にレーザ光を照射して除去する。
【００５９】
インク塗布機構５０は、基板９の主面上にインクを塗布する。インク硬化用光源２０は、たとえばＣＯ２レーザを含み、インク塗布機構５０によって塗布されたインクにレーザ光を照射して硬化させる。
【００６０】
なお、この装置構成は一例であり、たとえば、観察光学系２などを搭載したＺステージ４０をＸステージに搭載し、さらにＸステージをＹステージに搭載し、Ｚステージ４０をＸＹ方向に移動可能とするガントリー方式と呼ばれる構成でもよく、観察光学系２などを搭載したＺステージ４０を、対象の基板９に対してＸＹ方向に相対的に移動可能な構成であればどのような構成でもよい。
【００６１】
次に、複数の塗布針を用いたインク塗布機構５０の例について説明する。図１０は、観察光学系２およびインク塗布機構５０の要部を示す斜視図である。図１０を参照して、この塗布装置１００は、可動板１５と、倍率の異なる複数（たとえば５個）の対物レンズ１９と、異なる材質からなるインクを塗布するための複数（たとえば５個）の塗布ユニット１７とを備える。
【００６２】
可動板１５は、観察光学系２の観察鏡筒２ａの下端と基板９との間で、Ｘ軸方向およびＹ軸方向に移動可能に設けられている。また、可動板１５には、たとえば５個の貫通孔１５ａが形成されている。
【００６３】
対物レンズ１９は、Ｙ軸方向に所定の間隔で、それぞれ貫通孔１５ａに対応するように可動板１５の下面に固定されている。５個の塗布ユニット１７は、それぞれ５個の対物レンズ１９に隣接して配置されている。可動板１５を移動させることにより、所望の塗布ユニット１７を対象の基板９の上方に配置することが可能となっている。
【００６４】
図１１（ａ）〜（ｃ）は、図１０のＡ方向から要部を見た図であって、インク塗布動作を示す図である。塗布ユニット１７は、塗布針１７０とインクタンク１７２とを含む。まず図１１（ａ）に示すように、所望の塗布ユニット１７の塗布針１７０を対象の基板９の上方に位置決めする。このとき、塗布針１７０の先端部は、インクタンク１７２内のインク内に浸漬されている。
【００６５】
次いで図１１（ｂ）に示すように、塗布針１７０を下降させてインクタンク１７２の底の孔から塗布針１７０の先端部を突出させる。このとき、塗布針１７０の先端部にはインクが付着している。次に図１１（ｃ）に示すように、塗布針１７０およびインクタンク１７２を下降させて塗布針１７０の先端部を基板９に接触させ、基板９にインクを塗布する。この後、図１１（ａ）の状態に戻る。
【００６６】
複数の塗布針を用いたインク塗布機構は、この他にも様々な技術が知られているため詳細な説明を省略する。たとえば特許文献１などに示されている。塗布装置１００は、たとえば図１０に示すような機構をインク塗布機構５０として用いることにより、複数のインクのうちの所望のインクを塗布することができ、また、複数の塗布針のうち所望の塗布径の塗布針を用いてインクを塗布することができる。
【００６７】
本実施の形態に従う形状測定装置のヘッド部１０（図１）は、たとえば塗布装置１００の観察光学系２に設けられている。制御用コンピュータ７０は、インク塗布機構５０を制御してインク塗布動作を行なった後、Ｚステージ４０を移動させることによってヘッド部１０をインク塗布部の表面の上方の所定の位置に位置決めする。制御用コンピュータ７０はさらに、Ｚステージ４０を基板９に対して相対的に移動させながら、ＣＣＤカメラ４により干渉光の画像を撮影する。制御用コンピュータ７０は、画素ごとに干渉光強度がピークとなるＺステージ位置を検出し、検出したＺステージ位置を用いてインク塗布部の膜厚または凹凸部の高さを算出する。
【００６８】
［インク塗布動作の説明］
次に図１２〜１６を用いて、塗布装置１００で実行されるインク塗布動作の詳細について説明する。
【００６９】
塗布装置１００は、Ｚステージ４０を用いてミロー型干渉計３を対象物に対して相対的に移動させ、実施の形態１で示した方法で自動的に焦点を検出し、検出した焦点位置を基準としてインク塗布動作を行う。
【００７０】
ミロー型干渉計３で生成される干渉縞は、検出対象とする面に焦点が合ったとき出現する。そのため、塗布動作の高さ方向の基準面として、たとえばガラスの表面や金属薄膜、クロム膜など凹凸のない滑らな面を用いた場合に焦点を合わせる際に有効である。電子部品の実装工程などで塗布装置１００を用いる場合、塗布動作の高さ方向の基準面として金属薄膜などの滑らかな面が選択されることがある。
【００７１】
また、図５に示すように、分離度の山型波形の山裾の幅は数μｍと小さくピークが明確に現れるため、焦点位置を高精度に検出することができる。
【００７２】
ここでは、図１２に示すように、基板９上の金属薄膜９１の表面上の領域ＡＲを高さ方向の基準面とし、塗布部９２にインクを塗布する場合の動作の例について説明する。なお、金属薄膜９１と塗布部９２は同じ高さとする。
【００７３】
塗布部９２と塗布針１７０の先端とのオフセット量を予め求めておき、塗布装置１００の制御用コンピュータ７０に保存する。オフセット量は、次のように求める。
【００７４】
制御用コンピュータ７０は、図１３に示すように、基準面である金属薄膜９１の表面に設定した領域ＡＲに、実施の形態１に示す方法で焦点を合わせる。具体的には、領域ＡＲの画素について輝度ヒストグラムを求め、当該輝度ヒストグラムに基づいて分離度Ｒを計算し、自動焦点動作を実行する。
【００７５】
次に、制御用コンピュータ７０は、塗布装置１００のインク塗布機構５０の可動板１５を図１０のＸ軸方向またはＹ軸方向に移動して塗布針１７０を塗布部９２の上方に移動する。この後、図１４に示すように、制御用コンピュータ７０は、Ｚステージ４０をΔｚだけ下降させた後、インク塗布機構５０を制御して図１１で説明した塗布動作を実行し、可動板１５を元の位置まで戻す。
【００７６】
塗布装置１００のモニタ７４を確認し、塗布部９２にインクが塗布されていない場合は、Δｚを変更し、上記の手順を再度実行する。この操作を塗布部９２にインクが塗布されるまで繰り返し、初めて塗布されたときのΔｚを制御用コンピュータ７０に保存する。
【００７７】
実際の塗布動作では、実施の形態１に示す方法を用いて、基準面である金属薄膜９１の表面に焦点を合わせた後、塗布装置１００のインク塗布機構５０の可動板１５を図１０のＸ軸方向またはＹ軸方向に移動して塗布針１７０を塗布部９２の上方に移動する。その後、Ｚステージ４０をΔｚだけ下降させた後、インク塗布機構５０を制御して塗布動作を実行し、可動板１５を元の位置まで戻す。
【００７８】
以上の説明では、金属薄膜９１と塗布部９２は同じ高さとして説明したが、図１５に示すように、金属薄膜９１よりも塗布部９２の方が高い場合は、それらの段差ΔｄをΔｚから引いた（Δｚ−Δｄ）だけＺステージ４０を移動させる。また、図１６に示すように、金属薄膜９１よりも塗布部９２の方が低い場合は、段差ΔｄをΔｚに加えた（Δｚ＋Δｄ）だけＺステージ４０を移動させる。なお、ここではＺステージ４０が下降する方向をプラスとした。
【００７９】
［膜厚検査方法の説明］
上述の方法で、塗布部９２にインクを塗布した後、塗布したインクの膜厚を検査する。膜厚を測定する方法として、たとえば特開２０１５−００７５６４号公報に記載の方法を用いて表面形状を測定することができる。図１７に示すように、金属薄膜９１と塗布したインク９４の頂点部との段差Δｔを求める。
【００８０】
求めた段差Δｔが、予め塗布装置１００の制御用コンピュータ７０に保存された下限値ＴＬよりも小さい場合、再度インクを塗布する。このとき、塗布したインクの膜厚をΔｔとおくと、Ｚステージ４０のオフセット量を（Δｚ−Δｔ）としてインクを塗布する。この動作を、インクの膜厚Δｔが下限値ＴＬを超過するまで繰り返し実行する。ただし、塗布回数ｉをカウントし、ｉが予め指定した最大回数Ｎを超えたときは塗布動作を中断する。
【００８１】
塗布動作を中断したときは、作業者がモニタ７４で塗布部９２の状態を確認し、塗布が正しく実行されたか否かを判定する。
【００８２】
図１８は、制御用コンピュータ７０で実行される膜厚検査処理を説明するためのフローチャートである。
【００８３】
図１８を参照して、塗布動作の実行が開始されると、制御用コンピュータ７０は、ステップ（以下、ステップをＳと略す。）Ｓ１００にて、図１２の金属薄膜９１のような予め定められた基準面に対して焦点を合わせる（図１３）。この時の基準面までの焦点距離と、予め設定されている対物レンズ１９と塗布針１７０との高さ方向のオフセットに基づいて、制御用コンピュータ７０は、基準面から塗布針１７０の先端までの高さΔｚを算出する。
【００８４】
その後、制御用コンピュータ７０は、Ｘステージ４２およびＹステージ４４を動かして、塗布針１７０が、塗布部９２の上方となるように移動する。
【００８５】
次に制御用コンピュータ７０は、Ｓ１１０にて、塗布回数を示すカウンタｉをｉ＝１に初期化して処理をＳ１２０に進める。Ｓ１２０においては、制御用コンピュータ７０は、カウンタｉが所定の最大回数Ｎ以下であるか否かを判定する。
【００８６】
カウンタｉが最大回数Ｎ以下（ｉ≦Ｎ）の場合（Ｓ１２０にてＹＥＳ）は、処理がＳ１３０に進められ、制御用コンピュータ７０は、Ｚステージ４０をΔｚだけ下降させて、塗布部９２に対してインクを塗布する（図１４）。
【００８７】
その後、制御用コンピュータ７０は、Ｚステージ４０をΔｚだけ上昇させて初期位置に戻し、さらに対物レンズ１９が塗布部９２の上方となるように位置決めする。そして、制御用コンピュータ７０は、Ｓ１４０にて、Ｚステージ４０を基板９に対して高さ方向に相対的に移動させながら、ＣＣＤカメラ４により干渉光の画像を撮影し、干渉光強度がピークとなるＺステージ４０の位置から、塗布されたインクの頂点部の基準面からの高さ（膜厚）Δｔを測定する（図１７）。
【００８８】
制御用コンピュータ７０は、Ｓ１５０にて、測定したインク部の膜厚Δｔが所定の下限値ＴＬ以上となっているか否か（Δｔ≧ＴＬ）を判定する。
【００８９】
膜厚Δｔが下限値ＴＬ未満の場合（Ｓ１５０にてＮＯ）は、塗布量が十分でないため、制御用コンピュータ７０は、Ｓ１６０にてカウンタｉをインクリメントして、処理をＳ１２０に戻して、再度塗布動作を実行する。この際、塗布針１７０の下降量は（Δｚ−Δｔ）に修正される。
【００９０】
なお、上記の塗布動作を繰り返し実行する過程において、カウンタｉが予め指定した最大回数Ｎを超えた場合（ｉ＞Ｎ）（Ｓ１２０にてＮＯ）は、制御用コンピュータ７０は、塗布動作を中断する。
【００９１】
また、インク部の膜厚Δｔが下限値ＴＬ以上となった場合（Ｓ１５０にてＹＥＳ）は、塗布が完了したとして、制御用コンピュータ７０は、塗布動作を終了する。
【００９２】
以上のように、本実施の形態に従う形状測定装置を用いて、上記の処理に従って塗布装置１００を制御することによって、塗布されたインクの高さを精度よく、かつ、効率良く測定することができるので、作業効率を改善することができる。また、まず基準面に対して焦点を合わせた後に塗布動作を行なうようにすることで、塗布針と塗布部との位置関係が安定するので、塗布部に付着するインク量を安定させることができる。
【００９３】
さらに、塗布後の膜厚を測定し、当該膜厚が所定量を超えるまで繰り返し塗布動作を行なうことによって、塗布量不足による製品の不良を低減させることができる。また、不良品の補修の手間を省略することもできるので、製造タクトの向上が可能となる。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９５】
１  照明装置、２  観察光学系、２ａ  観察鏡筒、３  ミロー型干渉計、４  撮像装置、５  ピエゾステージ、６  制御装置、７  対象物、８  カット用レーザ装置、９  基板、１０  ヘッド部、１１  白色光源、１２  フィルタ、１５  可動板、１５ａ  貫通孔、１７  塗布ユニット、１９，３１  対物レンズ、２０  インク硬化用光源、２１  集光レンズ、２２  ハーフミラー、２３  結像レンズ、３２  反射鏡、３３  半透鏡、４０  Ｚステージ、４２  Ｘステージ、４４  Ｙステージ、５０  インク塗布機構、７０  制御用コンピュータ、７２  操作パネル、７４  モニタ、９１  金属薄膜、９２  塗布部、９４  インク、１００  塗布装置、１７０  塗布針、１７２  インクタンク、Ａ１〜Ａ３  光軸。
【図１】
0006665028.tif 000003
【図２】
0006665028.tif 000004
【図３】
0006665028.tif 000005
【図４】
0006665028.tif 000006
【図５】
0006665028.tif 000007
【図６】
0006665028.tif 000008
【図７】
0006665028.tif 000009
【図８】
0006665028.tif 000010
【図９】
0006665028.tif 000011
【図１０】
0006665028.tif 000012
【図１１】
0006665028.tif 000013
【図１２】
0006665028.tif 000014
【図１３】
0006665028.tif 000015
【図１４】
0006665028.tif 000016
【図１５】
0006665028.tif 000017
【図１６】
0006665028.tif 000018
【図１７】
0006665028.tif 000019
【図１８】
0006665028.tif 000020